(57)【要約】【課題】接触ブリッジ及びばねは２つの別個の構成部品であるので、スイッチは、スイッチ構成部品が非常に多く、しかも構造が複雑である。【解決手段】スイッチは、収容空間を有するスイッチハウジングと、収容空間内に設けられ、スイッチの２つの端子にそれぞれ接続される導電性の固定接触素子及び導電性の動作接触素子と、休止位置と作動位置との間で所定の作動方向に往復運動する作動部材と、作動素子とともに移動可能な導電性のばね接触素子と、を含む。ばね接触素子は、固定接触素子と常時接触し、動作接触素子の導電性接触面に接触する状態と動作接触素子の導電性接触面から切り離される状態との間で切り換わる。作動素子は、ばね接触素子のばね力により作動位置から休止位置へ戻される。【選択図】図１
2017157552.tif 000002
【特許請求の範囲】
【請求項１】
スイッチであって、
収容空間を有するスイッチハウジングと、
前記収容空間内に設けられ、該スイッチの２つの端子にそれぞれ接続される導電性の固定接触素子及び導電性の動作接触素子と、
休止位置と作動位置との間で所定の作動方向に往復運動する作動部材と、
前記作動素子とともに移動可能な導電性のばね接触素子であって、前記固定接触素子と常時接触し、前記動作接触素子の導電性接触面に接触する状態と前記動作接触素子の前記導電性接触面から切り離される状態との間で切り換わるばね接触素子と、を備え、
前記作動素子は、前記ばね接触素子のばね力のおかげで前記作動位置から前記休止位置へ戻される、ことを特徴とするスイッチ。
【請求項２】
前記ばね接触部材は、中間ばね部と、前記中間ばね部の両側から延びる２つのリム端とを含み、前記両リム端の一方は、静止して前記固定接触素子に常時接触し、前記２つのリム端の他方は、前記動作接触素子に接触し又は切り離すために、前記作動部材とともに所定の経路に沿って移動可能である、請求項１に記載のスイッチ。
【請求項３】
前記中間ばね部は、前記作動方向と垂直な方向に延びる保持ピンの周りにスリーブ嵌合され、前記移動可能なリム端は、前記動作接触素子に接触し又は切り離すために、前記作動方向又は前記作動方向と垂直な方向に移動可能である、請求項２に記載のスイッチ。
【請求項４】
前記作動素子はその底部に収容本体を有し、前記２つのリム端の一方は、前記作動素子が前記休止位置にあるとき、前記ばね接触素子の付勢力の影響をうけてねじれた様式で前記収容本体に位置決めされ、前記作動部材が操作されるとさらにねじれる、請求項２に記載のスイッチ。
【請求項５】
前記中間ばね部は、前記作動方向と平行な方向に延びる保持ピンの周りにスリーブ嵌合され、前記移動可能なリムは、前記動作接触素子に接触し又は切り離すために、前記作動方向と垂直な方向に移動可能である、請求項２に記載のスイッチ。
【請求項６】
前記動作接触素子との前記ばね接触素子の前記接触は、前記導電性接触面に沿った滑り接触であり、前記導電性接触面は、前記作動方向と平行であり、垂直であり又は角度を成す、請求項１に記載のスイッチ。
【請求項７】
前記導電性接触面又は前記スイッチハウジングには、触覚型検知構造が備わる、請求項１に記載のスイッチ。
【請求項８】
前記ばね接触素子と前記固定接触素子との間又は前記ばね接触素子と前記動作接触素子との間に、抵抗が直列に接続され、前記抵抗は、前記固定接触素子又は前記動作接触素子に対応して組み付ける、請求項１に記載のスイッチ。
【請求項９】
前記接触面は、前記作動方向に対して傾斜した方向に延びる第１の接触領域と、前記作動方向に延びる第２の接触領域とを有する、請求項１に記載のスイッチ。
【請求項１０】
前記移動可能なリムには、複数の接触点又は接触面が備わる、請求項１に記載のスイッチ。
【請求項１１】
該スイッチは、通常開スイッチ又は通常閉スイッチである、請求項１から１０の何れか１つに記載のスイッチ。
【請求項１２】
前記動作接触素子は第１の動作接触素子であり、該スイッチは切換スイッチであって第２の動作接触素子をさらに備え、前記第２の動作接触素子は、前記第１の動作接触素子から電気的に絶縁されかつ該スイッチの別の端子に電気的に接続され、前記ばね接触素子は、前記第１の動作接触素子との接触と前記第２の動作接触素子との接触との間で切り換わるために、前記作動部材とともに移動する、請求項１から１０の何れか１つに記載のスイッチ。
【発明の詳細な説明】
【技術分野】
【０００１】
[0002]  本開示は、電気スイッチに、特に超小型の信号スイッチに関する。
【背景技術】
【０００２】
[0003]  ばねを組み込む超小型の信号スイッチが公知である。そのようなスイッチは、休止位置と作動位置との間で移動可能な作動部材と、スイッチの端子に接続された２つの接触素子と、作動部材とともに移動して２つの接触素子を接続し又は接続を切る接触ブリッジとを含む。ばねは、作動部材が操作された後、作動部材を操作位置から休止位置に戻すように機能する。接触ブリッジ及びばねは２つの別個の構成部品であるので、スイッチは、スイッチ構成部品が非常に多く、しかも構造が複雑である。
【発明の概要】
【０００３】
[0004]  本開示はスイッチを提供し、スイッチは、収容空間を有するスイッチハウジングと、収容空間内に設けられてスイッチの２つの端子にそれぞれ接続される導電性の固定接触素子及び導電性の動作接触素子と、休止位置と作動位置との間で所定の作動方向に往復運動する作動部材と、作動素子とともに移動可能な導電性のばね接触素子とを備える。ばね接触素子は、固定接触素子に常時接触し、動作接触素子の導電性接触面に接触する状態と動作接触素子の導電性接触面から切り離される状態との間で切り換わる。作動素子は、ばね接触素子のばね力のおかげで作動位置から休止位置へ戻される。
【０００４】
[0005]  ばね接触部材は、中間ばね部と、中間ばね部の両側から延びる２つのリム端とを含み、両リム端の一方は、静止して固定接触素子に常時接触し、２つのリム端の他方は、動作接触素子に接触し又は切り離すために、作動部材とともに所定の経路に沿って移動可能であることが好ましい。
【０００５】
[0006]  随意的に、中間ばね部は、作動方向と垂直な方向に延びる保持ピンの周りにスリーブ嵌合され、移動可能なリム端は、動作接触素子に接触し又は切り離すために作動方向に移動可能である。
【０００６】
[0007]  随意的に、中間ばね部は、作動方向と垂直な方向に延びる保持ピンの周りにスリーブ嵌合され、移動可能なリム端は、動作接触素子に接触し又は切り離すために作動方向と垂直な方向に移動可能である。 
【０００７】
[0008]  作動素子はその底部に収容本体を有し、２つのリム端の一方は、作動素子が休止位置にあるとき、ばね接触素子の付勢力の影響をうけてねじれた様式で収容本体に位置決めされ、作動部材が操作されるとさらにねじれることが好ましい。
【０００８】
[0009]  随意的に、中間ばね部は、作動方向と平行な方向に延びる保持ピンの周りにスリーブ嵌合され、移動可能なリムは、動作接触素子に接触し又は切り離すために、作動方向と垂直な方向に移動可能である。
【０００９】
[0010]  動作接触素子とのばね接触素子の接触は、導電性接触面に沿った滑り接触であることが好ましい。
【００１０】
[0011]  随意的に、導電性接触面は、作動方向と平行であり、垂直であり又は角度を成す。
【００１１】
[0012]  導電性接触面又はスイッチハウジングには、触覚型検知構造が備わることが好ましい。
【００１２】
[0013]  ばね接触素子と固定接触素子との間又はばね接触素子と動作接触素子との間に、抵抗が直列に接続され、抵抗は、固定接触素子又は動作接触素子に対応して組み付けることが好ましい。
【００１３】
[0014]  接触面は、作動方向に対して傾斜した方向に延びる第１の接触領域と、作動方向に延びる第２の接触領域とを有することが好ましい。
【００１４】
[0015]  移動可能なリムには、複数の接触点又は接触面が備わることが好ましい。
【００１５】
[0016]  随意的に、スイッチは通常開スイッチであり、移動可能なリムは、作動素子が休止位置にあるとき、動作接触素子の接触面から所定の接触距離だけ離間している。
【００１６】
[0017]  休止位置から作動位置への方向における作動素子の移動距離は、移動可能なリムと動作接触点部材の接触面との間の接触距離よりも大きいことが好ましい。
【００１７】
[0018]  随意的に、スイッチは、通常開スイッチ又は通常閉スイッチである。
【００１８】
[0019]  随意的に、動作接触素子は第１の動作接触素子であり、スイッチは切換スイッチであって第２の動作接触素子をさらに備え、第２の動作接触素子は、第１の動作接触素子から電気的に絶縁されてスイッチの別の端子に電気的に接続され、ばね接触素子は、第１の動作接触素子との接触と第２の動作接触素子との接触との間で切り換わるために、作動部材とともに移動する。
【００１９】
[0020]  休止位置から作動位置への方向における作動素子の移動距離は、第１の動作接触素子の接触面と第２の動作接触部材の接触面との間の接触距離よりも大きいことが好ましい。
【００２０】
[0021]  スイッチには、固定接触素子並びに第１の動作接触素子及び第２の動作接触素子の一部又は全てに取り付けた、複数の抵抗が備わることが好ましい。
【図面の簡単な説明】
【００２１】
【図１】本開示の実施形態によるスイッチを示す図である。
【図２ａ】図１のスイッチにおいて、作動素子が休止位置にあるとき、動作接触素子及び固定接触素子並びにばね接触素子を示す図である。
【図２ｂ】図１のスイッチにおいて、作動素子が作動位置にあるとき、動作接触素子及び固定接触素子並びにばね接触素子を示す図である。
【図３ａ】本開示の別の実施形態によるスイッチにおいて、作動素子が休止位置にあるとき、動作接触素子及び固定接触素子並びにばね接触素子を示す図である。
【図３ｂ】図３ａのスイッチにおいて、作動素子が作動位置にあるとき、動作接触素子及び固定接触素子並びにばね接触素子を示す図である。
【図４ａ】本開示の別の実施形態による、作動素子が休止位置にあるスイッチを示す図である。
【図４ｂ】作動部材が作動位置にある図４ａのスイッチを示す図である。
【図５ａ】本開示の別の実施形態による、作動素子が休止位置にあるスイッチを示す図である。
【図５ｂ】作動部材が作動位置にある図５ａのスイッチを示す図である。
【図６ａ】本開示の別の実施形態による、作動素子が休止位置にあるスイッチを示す図である。
【図６ｂ】作動部材が作動位置にある図６ａのスイッチを示す図である。
【図７ａ】本開示の別の実施形態による、作動素子が休止位置にあるスイッチを示す図である。
【図７ｂ】作動部材が作動位置にある図７ａのスイッチを示す図である。
【図８ａ】本開示の別の実施形態による、作動素子が休止位置にあるスイッチを示す図である。
【図８ｂ】作動部材が作動位置にある、図８ａのスイッチを示す図である。
【図９ａ】本開示の別の実施形態による、抵抗を組み込んだ通常閉スイッチを部分的に示す図である。
【図９ｂ】図９ａのスイッチの回路図である。
【図１０ａ】本開示の別の実施形態による、抵抗を組み込んだ通常開スイッチを部分的に示す図である。
【図１０ｂ】図１０ａのスイッチの回路図である。
【図１１】本開示の別の実施形態によるスイッチを示し、スイッチハウジングの２つの側壁を示さない図である。
【図１２】図１１のスイッチの横断面図である。
【図１３】図１１のスイッチを示し、スイッチハウジングを示さない図である。
【図１４】図１３のスイッチの側面図である。
【図１５ａ】図１１のスイッチに適する１つのばね接触素子を示す図である。
【図１５ｂ】図１１のスイッチに適する他のばね接触素子を示す図である。
【図１５ｃ】図１１のスイッチに適するさらに他のばね接触素子を示す図である。
【図１６】本開示の別の実施形態によるスイッチを示し、スイッチハウジングの２つの側壁を示さない図である。
【図１７ａ】本開示の別の実施形態によるスイッチの触覚型検知構造を示す部分的な図である。
【図１７ｂ】本開示の別の実施形態によるスイッチの触覚型検知構造を示す部分的な図である。
【図１８】本出願の別の実施形態による超小型の信号スイッチを示し、ハウジングを示さない斜視図である。
【図１９】本出願の別の実施形態による超小型の信号スイッチを示し、スイッチハウジングを示さない側方からの斜視図である。
【図２０ａ】部分的に本開示の別の実施形態によるスイッチを示し、抵抗を組み込み、スイッチハウジングを示さない部分的な図である。
【図２０ｂ】図２０ａのスイッチの回路図である。
【図２１】本開示の別の実施形態によるスイッチを示し、スイッチハウジングの２つの側壁を示さない図である。
【図２２】本開示の別の実施形態によるスイッチを示し、スイッチハウジングの２つの側壁を示さない図である。
【図２３】図２２のスイッチのスイッチハウジングを示す横断面図である。
【図２４】図２２のスイッチを示し、スイッチハウジングを示さない図である。
【図２５ａ】図２２のスイッチに適するあるばね接触素子を示す図である。
【図２５ｂ】図２２のスイッチに適する他のばね接触素子を示す図である。
【図２６ａ】本開示の他の実施形態による１つの進行型移行スイッチを示す図である。
【図２６ｂ】本開示の他の実施形態による他の進行型移行スイッチを示す図である。
【図２７ａ】本開示の他の実施形態による１つのスイッチの触覚型検知構造を部分的に示す図である。
【図２７ｂ】本開示の他の実施形態による他のスイッチの触覚型検知構造を部分的に示す図である。
【図２７ｃ】本開示の他の実施形態によるさらに他のスイッチの触覚型検知構造を部分的に示す図である。
【図２８ａ】本開示の別の実施形態によるスイッチを部分的に示し、抵抗を組み込み、スイッチハウジングを示さない図である。
【図２８ｂ】図２８ａのスイッチの回路図である。
【図２９】本開示の別の実施形態によるスイッチを示し、スイッチハウジングを示さない図である。
【図３０】図２９のスイッチにおける固定接触素子、第１の動作接触素子及び第２の動作接触素子並びにばね接触素子を示す図である。
【図３１】図２９のスイッチの横断面図である。
【図３２】図２９のスイッチの回路図である。
【図３３】本開示の別の実施形態による、抵抗を組み込んだスイッチを示す図である。
【図３４】図３３のスイッチを示し、スイッチハウジングを示さない斜視図である。
【図３５】図３４のスイッチを示し、作動素子を示さない斜視図である。
【図３６】図３５のスイッチを示し、スイッチハウジングの基部を示さない斜視図である。
【図３７】図３３から図３６のスイッチの回路図である。
【図３８】本開示の別の実施形態によるスイッチを示し、スイッチハウジングを示さない図である。
【図３９】本開示の１つの実施形態による、２つの抵抗を組み込んだスイッチの１つの回路図である。
【図４０】本開示の他の実施形態による、２つの抵抗を組み込んだスイッチの他の回路図である。
【発明を実施するための形態】
【００２２】
[0074]  本開示の実施形態は、図面と併せて詳しく説明され、その結果本開示の技術的解決策及び有益な効果が明らかになる。図面は、開示を限定するよりもむしろ、単に参照し及び説明するためであることを理解されたい。図面中の寸法は、大小関係を限定するよりもむしろ、単に明確に説明するためである。
【００２３】
[0075]  本開示の実施形態に従う電気スイッチは、収容空間１１を定めるスイッチハウジング１０を有する。電気スイッチは、超小型の信号スイッチであることが好ましい。これらの例示的な実施形態では、スイッチハウジング１０は、分割されて、下側基部１３の他に、側壁及び上壁を備える上側部１２も備える。ハウジング１０の上壁をプランジャの形とされた作動素子２０が貫通し、作動素子２０は、ベローズ２５によって取り囲まれる。
【００２４】
[0076]  図１から図１０ｂは、本開示の実施形態による超小型の信号スイッチ１を示す。図１のスイッチ１は通常開スイッチとして作動する。収容空間１１に、固定接触素子４０、動作接触素子５０及びばね接触素子３０が設けられ、これらは、導電性材料で作製される。固定接触素子４０及び動作接触素子５０に電気的に接続された端子４１及び端子５１が、それぞれ、スイッチハウジング１０から下方へ突出している。固定接触素子４０及び動作接触素子５０は、スイッチハウジング１０の基部１３によって保持された簡単な湾曲部分である。固定接触素子４０及び動作接触素子５０の各々は、それぞれ、端子４１及び端子５１とともに一体型部材を形成する。随意的に、固定接触素子４０及び動作接触素子５０は、端子４１及び端子５１とは別個に形成される。ねじりばねの形とされたばね接触素子３０は、固定接触素子４０と動作接触素子５０との間の接触ブリッジとして作動する。ばね接触素子３０は、中間ばね部と、中間ばね部の両側から延びる２つのリム端３３、３４とを有する。リム端の一方は静止しており、他方は移動可能である。
【００２５】
[0077]  中間ばね部は保持ピン２６に載置される。保持ピン２６は、作動素子２０の底部に設けた案内本体２１の側壁から、作動素子２０の作動方向Ｘを横断する方向に延びている。この実施例では、案内本体２１は、ハウジング１０の溝部（図示しない）内に収容されかつ作動素子２０を所定の経路に即ち作動方向Ｘに案内する、案内リブ２４を有する。この実施例では、案内リブ２４は、案内本体２１の２つの向かい合う側面に設ける。保持ピン２６は、案内本体２１の後側壁から内方に突出する。この実施例では、ばね接触素子３０は、作動方向Ｘに沿って作動素子２０とともに移動することができる。
【００２６】
[0078]  図２ａ及び図２ｂを参照すると、ばね接触素子３０のリム端３４は静止しており、接触素子４０へ電気的に接続される。リム端３３は移動可能である。作動素子２０が休止位置にある場合、リム端３３は、非電導性の絶縁面５５に置かれる。リム端３３は、作動素子２０の作動によって動作接触素子５０の接触面５２に押し付ける。作動素子２０がばね接触素子３０と一緒に作動方向Ｘに移動することにより、リム端３４は、絶縁面５５から接触面５２に動方向Ｘを横断して移動して、動作接触素子５０に接触する。作動素子２０は、作動後、ベローズ２５の助けのもとでばね接触素子３０のばね力によって休止位置に戻る。
【００２７】
[0079]  図１のスイッチ１は、変更された接触素子５０を組み付ければ、代わりの通常閉スイッチとして構成することができる。スイッチのための固定接触素子４０及び動作接触素子５０並びにばね接触素子３０の配置が、図３ａ及び図３ｂに示される。図３ａは、作動素子２０の休止位置における、固定接触素子４０及び動作接触素子５０並びにばね接触素子３０の配置を示す。図１のスイッチ１に類似して、この実施例におけるばね接触素子３０のリム端３４もまた、静止しており、固定接触素子４０に電気的に接続される。作動素子２０が休止位置にある場合、リム端３３は、動作接触素子５０に接触して接触面５２に圧力を加え、それによりリム端３３と接触面５２との間に信頼できる接触が保証される。作動素子２０が作動方向Ｘに作動されると、ばね接触素子３０もまた下方へ移動し、それによってリム端３３を押して作動方向を横断するように移動させ、これによりリム端３３は接触素子５０の接触面５２を去る。スイッチ１を通常開スイッチ又は通常閉スイッチの何れに構成するかは、スイッチを組み立てるとき、対応する接触素子５０を選択することよって決められる。
【００２８】
[0080]  図４ａ及び図４ｂは、スイッチ１の別の実施例を示す。この実施例では、固定接触素子４０は、下方に延びる静止したリム端３４へ電気的に接続される。作動素子２０が休止位置にあるとき、動作接触素子５０は、上方に延びる移動可能なリム端３３と協働して、案内本体２１の押圧リブ２３を圧迫する。固定接触素子４０及び動作接触素子５０は、スイッチハウジング１０の基部内で隣同士の異なる平面に配置される。図４ａは作動素子２０の休止位置を示す。ばね接触素子３０の移動可能なリム端３３は、動作接触素子５０の接触面５２から離間している。図４ｂに示すように、作動素子２０を作動方向Ｘに作動させることによって、リム端３３は、動作接触素子５０の接触面５２に接触する位置に達する。作動中に、押圧リブ２３は、ばね接触素子３０のリム端３３をばね力に抗して押し下げる。作動素子２０は、案内本体２１上の案内リブ２４とハウジング１０内の案内溝とによって案内される。図４ｂでは、後面案内リブ２４だけが見える。案内本体２１には、後面案内リブの向かい側に前面案内リブを設けることができる。
【００２９】
[0081]  図４ａ及び図４ｂに示すスイッチ１は、通常開スイッチとして使用する。代わりに、スイッチ１は、別種類の動作接触素子５０を組み付けることによって、通常閉スイッチとして構成することができる。図５ａ及び図５ｂを参照すると、スイッチ１は、固定接触素子４０へ電気的に接続される下側リム端３４を持つばね接触素子３０を有する。この実施例では、作動素子２０が休止位置にある場合、移動可能なリム端３３は、湾曲した動作接触素子５０の底面５２に載置される。ばね接触素子３０のばね力のおかげで、リム端３３は、接触面５２上に十分な接触圧力を加え、信頼できる接触が起こるようにする。作動素子２０が作動方向Ｘに押されると、ばね接触素子３０は、作動素子２０と一緒に移動し、リム端３３は、押圧リブ２３によって同時に押され、動作接触素子５０の接触面５２から遠ざかる。
【００３０】
[0082]  図４ａ及び図５ａに示すスイッチ１において、２つの動作接触素子５０を使用すれば、切換スイッチが実施できる。
【００３１】
[0083]  図６ａから図８ｂに示すスイッチでは、動作接触素子５０上に、突起５３、くぼみ５４又は切欠き５６の形をとる触覚型構造が設けられる。触覚型構造によれば、プランジャ２０を作動したとき、スイッチ１の切換え過程を感じることができる。図６ａ、図６ｂ、図７ａ及び図７ｂのスイッチ１は通常開スイッチである。ユーザーは、リム端３３が、図６ａ及び図６ｂの突起５３を、又は図７ａ及び図７ｂにて接触面５２に至る前にくぼみ５４を通るとき、触覚型フィードバックを得ることができる。図８ａ及び図８ｂのスイッチは通常閉スイッチである。ユーザーは、リム端３３が、接触素子５０の接触面５２を去った後に切欠き５６を通るとき、切換え過程を感じることができる。
【００３２】
[0084]  上記実施形態のスイッチ１の構造は簡単であり、その理由は、スイッチが少数の構成部品で作製できるためである。ばね接触素子３０としてねじりばねが使用できる。スイッチ１の組立時に対応する動作接触素子を組み付けるだけで、スイッチは、通常開スイッチ、通常閉スイッチ又は切換スイッチとして構成できることが特に好都合である。
【００３３】
[0085]  図９ａ及び図１０ａは、スイッチ１の別の実施例を示す。図９ａのスイッチ１は、図５ａのスイッチ１と同様に通常閉スイッチである。ばね接触素子３０のリム端３３と動作接触素子５０との間の接触は、作動素子２０の移動によって断たれる。加えて、図９ｂに見えるように、回路には直列に接続された抵抗７０が設けられる。例えば表面実装型デバイス（ＳＭＤ）抵抗である抵抗７０は、例えばはんだ付け接続部を介して、好ましくはレーザーによる溶接接続部を介して又は留め接続部を介して、固定接触素子４０に接続される。回路を測定することによって、具体的には抵抗を測定することによって、リム端３３と動作接触素子５０との間に接触が起こったか否かを決定できる。接触がなければ、測定された抵抗は極大値になる。外部から測定可能な抵抗値は、診断のために使うこと、及び例えばソフトウェア問合わせにまとめることができる。図１０ａは、抵抗７０を有する通常開スイッチ１を示す。スイッチ１の回路図を図１０ｂに示す。回路図には、接触の切換えがまだなく、抵抗は無限であることが示される。接触の切換えが起こると、それにより回路が閉じて、抵抗７０に対応する抵抗値を測定することができる。同様に、抵抗７０は、固定接触素子４０に直列に接続したＳＭＤ抵抗である。ＳＭＤ抵抗の使用により小型のデザインが可能になる。直列に接続した抵抗７０は、代わりに、動作接触素子５０上に設けても良いことを理解されたい。
【００３４】
[0086]  図１１から図２０ｂは、本開示の別の実施形態による超小型の信号スイッチ２を示す。スイッチ２は通常開スイッチとして作動する。収容空間１１には、導電材料で作製された、固定接触素子４０、動作接触素子５０及びばね接触素子３０が設けられる。固定接触素子４０及び動作接触素子５０に電気的に接続された端子４１、５１が、それぞれ、スイッチハウジング１０から下方へ突出する。固定接触素子４０及び動作接触素子４０は、スイッチハウジング１０の基部１３によって保持される単純な折曲げ部品である。固定接触素子４０及び動作接触素子５０の各々は、それぞれ、対応する端子４１、５１とともに一体型部材を形成する。随意的に、固定接触素子４０及び動作接触素子５０は、端子４１、５１とは別個に形成される。プレスばねの形をとるばね接触素子３０は、固定接触素子４０と動作接触素子５０との間の接触ブリッジとして作動する。ばね接触素子３０は、中間ばね部と、中間ばね部の２つの端部から突出する２つのリム端３３、３４とを有する。リム端の一方は静止しており、他方は移動可能である。図１３を参照して、ばね接触素子３０は下側リム端３４を有し、下側リム端３４は、例えば、留め接続部又ははんだ付け接続部によって固定接触素子４０に固定して接続される。ばね接触素子３０の上側部は、具体的には上側リム端３３は、作動素子２０の底部に設けた収容本体２７によって所定位置に保持される。図１２に示すように、ばね接触素子３０の上側部は、収容本体２７の収容溝２２に収容される。収容溝２２は作動方向Ｘに延びている。上側リム端３３は、収容本体２７のスロット２８を通って横方向に突出し、図１４に示すように、動作接触素子５０の接触面５２から接触距離Ａだけ離間する。ばね接触素子３０の上側リム端３３は、作動素子２０に予め位置決めされ、作動素子２０が作動方向Ｘに案内されて移動することによって生じる所定の経路に沿って移動し、短距離だけ移動した後に所定の接触状態に達することが好ましい。休止位置から作動位置まで、作動素子２０の移動距離は、接触距離Ａと比べてより長い。移動の後期段階では、ばね接触素子３０の上側リム端３３は、動作接触素子５０の接触面５２上をオーバーランして摺動する。従って、上側リム端３３はねじれる。動作接触部材に対する上側リム端３３の信頼できる接触及び十分な接触圧力を保証するために、上側リム端３３は、付勢力の影響を受けて、作動素子２０の収容本体２７に予め位置決めされる。この実施例では、収容本体２７は、その側壁に形成されたスロット２８を有する。リム端３３は、十分な付勢力が得られるように、スロット２８を通過して作動部材２０の収容本体２７によってねじれた様式で位置決めされ、それによりリム端３３と動作接触素子５０の接触面５２との間に信頼できる接触が保証され、接触面５２に十分な接触圧力を加えることができる。作動素子２０は、作動後、ばね接触素子３０ばね力の影響を受けてしかもベローズ２５の助けの下で休止位置に戻る。
【００３５】
[0087]  スイッチ２が作動されると、ばね接触素子３０の上側リム端３３は、所定の経路に沿って接触距離Ａを過ぎる。この目的のために、作動素子２０用の案内構造がスイッチハウジング１０に設けられる。図２では、案内構造は、収容本体２７の外側面上に二対の案内リブ２４を含む。各対の案内リブ２４は、スイッチハウジング１０の溝部内に係合する。溝部は、作動方向Ｘに延びる２つの案内ストリップ１５によって形成できる。作動素子２０の収容本体２７上の案内リブ２４と、スイッチハウジング１０の案内ストリップ１５との協働によって、作動素子２０の作動方向Ｘにおける移動が決まる。従って、収容本体２７に保持されたリム端３３の移動経路も決まる。加えて、ばね接触素子３０の下側部は、スイッチハウジング１０の基部１３に形成された突起１４によって保持される。突起１４は、ばね接触素子３０に下方からはまり込む。圧力ばねを持つスイッチ２は、少数の構成部品によって形成することができ、しかもばね接触素子３０と動作接触素子５０との間の接触距離Ａは小さいことが好都合である。作動方向Ｘに対して傾斜している接触面５２上を上側リム端３３がオーバーランして摺動することにより、信頼できる接触が保証される。
【００３６】
[0088]  図１５ａから図１５ｃは、ばね接触素子３０の他のいくつか実施例を図示する。図１５ａでは、上側リム３３は、２つの接触点３３１、３３２を有する。図１６ａでは、上側リム３３は、３つの接触点３３１、３３２、３３３を有する。接触点は、折り曲げることによって形成でき、動作接触素子５０との間で信頼できる接触を起こす。図１５ｃでは、ばね接触素子３０の上側リム端３３に接触板が溶接されて、２つ又はそれよりも多い接触面３３４及び３３５を形成する。
【００３７】
[0089]  図１３に示すように、下側リム端３４は、固定接触素子４０に固定して接続することができる。代わりに、図５ａ、図５ｂ及び図５ｃに示すように、リム端３４は、固定接触部材４０と一体に形成することができる。この場合、下側リム端３４は、スイッチハウジング１０から延び出て、下側リム３４の下端が端子４１を形成する。
【００３８】
[0090]  図１６は、スイッチ２の別の実施例を示す。図１１のスイッチ２と比較して、この実施例の動作接触素子５０はストリップである。動作接触素子５０の接触面５２は、プランジャ２０の作動方向Ｘに対して傾斜している。ばね接触素子３０の上側リム端３３は、接触面５２に沿って摺動する。この実施例のスイッチ２も通常開スイッチである。作動素子２０が作動されると、固定接触素子及４０と動作接触素子５０との間の接触は、ばね接触素子３０によって起こる。
【００３９】
[0091]  図１７ａ及び１７ｂに示すスイッチでは、動作接触素子５０又はスイッチング１０上に、突起５３、くぼみ５４又は切欠き５６の形をとる触覚型構造が設けられる。触覚型構造によれば、プランジャ２０を作動したとき、スイッチ２の切換え過程を感じることができる。図１７ａ及び図１７ｂのスイッチ２は通常開スイッチである。ユーザーは、リム端３３が、図１７ａの突起５３を、又は図１７ｂにて接触面５２に至る前にくぼみ５４を通るとき、触覚型フィードバックを得ることができる。
【００４０】
[0092]  随意的に、触覚型構造は、スイッチハウジング１０上に、例えば図１６に示すような突起１６の形で設けることができる。作動素子２０が作動されると、上側リム端３３は、ハウジング１０の突起１６から飛び上がり、そのことはユーザーが触って分かる。
【００４１】
[0093]  上述したように、ばね接触素子３０の上側リム端３３は、収容本体２７によって予め位置決めされ、ねじられ、ばね力に抗して張力を受けて保持される。作動素子２０が作動方向Ｘに作動されると、上側リム端３３はさらにねじられ、それは、作動素子２０を作動させるたびにばね接触素子３０が曲げ荷重及びねじり荷重を受けることを意味する。ばね接触素子３０に加わる荷重は、接触素子５０の接触面５２を特別に構成することによって軽減することができる。図１８及び図１９では、接触面５２は、作動方向Ｘに対して傾いた第１の接触領域５２．１と、作動方向Ｘに延びた第２の接触領域５２．２とに分割される。作動されると、リム端３３は、初めに傾斜領域５２．１上を摺動し、それによりばね接触素子３０はさらにねじられる。次いで、リム端３３は、ばね接触素子３０に加わる荷重を増加させることなく、第２の接触領域５２．２上を摺動する。この構成によって、ばね接触素子３０は、耐用年数が長くなる。
【００４２】
[0094]  図２０ａはスイッチ２の別の実施例を示す。スイッチ２は、図１６のスイッチ２と同様に通常開スイッチである。ばね接触素子３０のリム端３３と動作接触素子５０との間の接触は、作動素子２０の移動によって起こる。加えて、図２０ｂに示すように、回路には直列に接続された抵抗７０が設けられる。好ましくはＳＭＤ抵抗である抵抗７０は、例えばはんだ付け接続部を介して、好ましくはレーザーによる溶接接続部を介して、又は留め接続部を介して、固定接触素子４０に接続される。リム端３４は、抵抗７０と固定接触素子４０との間のスロット４２内に係合する。回路を測定することによって、具体的には抵抗を測定することによって、リム端３３と動作接触素子５０との間に接触が起こったか否かを決定できる。接触がなければ、測定された抵抗は極大値になる。外部から測定可能な抵抗値は、診断のために使うこと、及び例えばソフトウェア問合せにまとめることができる。図２０ｂの回路図には、接触の切換えがまだなく、抵抗は無限であることが示される。接触の切換えが起こると、それにより回路が閉じて、抵抗７０に対応する抵抗値を測定することができる。ＳＭＤ抵抗の使用により小型のデザインが可能になる。直列に接続した抵抗７０は、代わりに、動作接触素子５０上に設けても良いことを理解されたい。
【００４３】
[0095]  図２１から図２８ｂは、本開示の別の実施形態による超小型の信号スイッチ３を示す。スイッチ３は、通常閉スイッチとして作動する。収容空間１１には、導電性材料で作製された、固定接触素子４０、動作接触素子５０及びばね接触素子３０が設けられる。固定接触素子４０及び動作接触素子５０にそれぞれ電気的に接続された端子４１及び端子５１は、スイッチハウジング１０から下方に突出する。固定接触素子４０及び動作接触素子５０は、スイッチハウジング１０の基部１３によって保持された単純な型押し部材である。固定接触素子４０及び動作接触素子５０の各々は、それぞれ、対応する端子４１及び端子５１とともに一体型部材を形成する。随意的に、固定接触素子４０及び動作接触素子５０は、端子４１及び端子５１とは別個に形成される。プレスばねの形をとるばね接触素子３０は、固定接触素子４０と動作接触素子５０との間の接触ブリッジとして作動する。ばね接触素子３０は、中間ばね部と、中間ばね部の２つの端部から突出する２つのリム端３３、３４とを有する。リム端の一方は静止しており、他方は移動可能である。図２３を参照して、ばね接触素子３０は下側リム端３４を有し、下側リム端３４は、静止しており、例えば、留め接続部又ははんだ付け接続部によって固定接触素子４０に接続される。ばね接触素子３０の上側部は、具体的には上側リム端３３は、作動素子２０の底部に設けた収容本体２７によって所定位置に保持される。ばね接触素子３０の上側部は、収容本体２７の収容溝２２に収容される。収容溝２２は作動方向Ｘに延びている。上側リム端３３は、収容本体２７のスロット２８を通って横方向に突出し、スロット２３を通り、作動接触素子５０の傾斜した接触面５２を下方から圧迫する。
【００４４】
[0096]  図２２は、スイッチ３の別の実施例を示す。図１１の中のスイッチ３と比較して、この実施例の動作接触素子５０はストリップである。動作接触素子５０の接触面５２は、プランジャ２０の作動方向Ｘに対して傾斜している。ばね接触素子３０の上側リム端３３は、接触面５２に接触している。この実施例のスイッチ３も通常閉スイッチである。作動素子２０が作動すると、固定接触素子４０と動作接触素子５０との間の接触は断たれる。
【００４５】
[0097]  ばね接触素子３０の上側リム端３３は、作動素子２０に予め位置決めされ、作動素子２０の作動方向Ｘにおける案内された移動と一緒に所定の経路に沿って移動する。上側リム端３３と接触面５２との間の接触は、上側リム端３３が短距離だけ移動した後、切り離される。動作接触部材に対する上側リム端３３の信頼できる接触及び十分な接触圧力を保証するために、上側リム端３３は、付勢力の影響を受けて、作動素子２０の収容本体２７に予め位置決めされる。この実施例では、収容本体２７は、その側壁に形成されたスロット２８を有する。リム端３３は、十分な付勢力が得られるように、スロット２８を通過して作動部材２０の収容本体２７によってねじれた様式で位置決めされ、それによりリム端３３と動作接触素子５０の接触面５２との間に信頼できる接触が保証され、接触面５２に十分な接触圧力を加えることができる。作動素子２０は、作動後、ばね接触素子３０のばね力の影響を受けてしかもベローズ２５の助けの下で、休止位置に戻る。
【００４６】
[0098]  スイッチ３が作動されると、ばね接触素子３０の上側リム端３３は、所定の経路に沿って案内される。この目的のために、スイッチハウジング１０に、作動素子２０用の案内構造が設けられる。図２３では、案内構造は、収容本体２７の外側面上の二対の案内リブ２４を含む。各対の案内リブ２４は、スイッチハウジング１０の溝部内に係合する。溝部は、作動方向Ｘに延びる２つの案内ストリップ１５によって形成することができる。作動素子２０の収容本体２７の案内リブ２４と、スイッチハウジング１０の案内ストリップ１５との協働によって、作動素子２０の作動方向Ｘにおける移動が決まる。従って、収容本体２７に保持されたリム端３３の移動経路も決まる。加えて、ばね接触素子３０の下側部は、スイッチハウジング１０の基部１３に形成された突起１４によって保持される。突起１４は、ばね接触素子３０に下方からはまり込む。
【００４７】
[0099]  図２５ａ及び図２５ｂは、ばね接触素子３０の他のいくつかの実施例を図示する。図２５ａでは、上側リム３３は接触点３３１を有する。図２５ｂでは、上側リム３３は、３つの接触点３３１、３３２、３３３を有する。接触点は、折り曲げることによって形成でき、動作接触素子５０との間に信頼できる接触を起こす。随意的に、ばね接触素子３０の上側リム端３３に接触板が溶接されて、２つ又はそれよりも多い接触面３３４及び３３５を形成することができる。
【００４８】
[0100]  図２４に示すように、下側リム端３４は、固定接触素子４０に固定して接続することができる。代わりに、図１５ａ及び１５ｂに示すように、リム端３４は、固定接触子部材４０と一体に形成することができる。この場合、下側リム端３４は、スイッチハウジング１０から延び出て、下側リム３４の下端は端子４１を形成する。
【００４９】
[0101]  図２６ａ及び図２６ｂに示すように、作動素子２０のために、休止位置から作動位置まで比較的長い作動経路を設けて、ゆっくり動く切換えのための移行を実現することができる。この場合、上側リム端３３は、動作接触素子５０から遠ざかる前に、動作接触素子５０の接触面５２に沿って前方に摺動する。接触面５２上における上側リム端３３の前方への摺動は、接触面５２の方向を適切に形成したとき実現される。この実施例では、接触面５２は作動方向Ｘと平行である。動作接触素子５０を型押しによって作成する間に、図２６ａに示すような垂直方向に延びた接触面５２と、接触面５２に対して鈍角を成す傾斜面とが簡単に形成できる。図２６ｂでは、動作接触素子５０は、ストリップの形をとり、垂直な接触面５２と、移動可能なリム端３３と接触面５２との間の接触を断つための傾斜面とを有する。
【００５０】
[0102]  図２７ａ及び図２７ｂでは、接触面５２は、作動部材２０の収容本体２７内に収容される。作動部材が休止位置にある場合、リム端３３は、接触面５２上に載り、付勢力の影響を受けて接触面５２に十分な接触圧力を加え、これにより動作接触素子２０との間の信頼できる接触が保証される。リム端３３は、付勢力の影響を受けて収容本体２７に収容される。従って、作動素子２０の移動中に、リム端３３は、ばね力のおかげで、あまり早く接触面５２から離昇することがなく又は接触面５２を去ることがない。図２７ａ及び図２７ｂに示すスイッチでは、動作接触素子５０又はスイッチハウジング１０上に、突起５３及びくぼみ５４の形をとる触覚型構造が設けられる。触覚型構造によれば、プランジャ２０が作動されたとき、スイッチ３の切換え過程を感じることができる。図２７ａ、図２７ｂのスイッチ３は通常閉スイッチである。ユーザーは、リム端３３が、接触面５２を去る前に図２７ａのくぼみ５４又は図２７ｂの突起５３を通るとき、触覚型フィードバックを得ることができる。図２７ｃでは、動作接触素子５０は、ストリップの形をとり、突起５３を有する。
【００５１】
[0103]  図２８ａに示す通常閉スイッチ３の実施例では、固定接触素子４０に抵抗７０が組み付けられて電気的に接続される。リム端３４は、抵抗７０と固定接触素子４０との間のスロット４２内に係合される。図２８ｂはスイッチ３の回路図を図示する。
【００５２】
[0104]  図２９から図３１は、本開示の別の実施形態によるスイッチ４を図示する。収容空間１１には、導電性材料で作製された、固定接触素子４０、第１の動作接触素子５０、第２の動作接触素子６０及びばね接触素子３０が設けられる。固定接触素子４０及び動作接触素子５０、６０に電気的にそれぞれ接続された端子４１、５１、６１が、スイッチハウジング１０から下方に突出する。固定接触素子４０及び動作接触素子５０、６０は、スイッチハウジング１０の基部１３によって保持された単純な型押し部材である。固定接触素子４０及び動作接触素子５０、６０の各々は、それぞれ、対応する端子４１、５１、６１とともに一体型部材を形成する。随意的に、固定接触素子４０及び動作接触素子５０、６０は、端子４１、５１、６１とは別個に形成される。圧力ばねの形をとるばね接触素子３０は、固定接触素子４０と第１の動作接触素子５０との間、又は固定接触素子４０と第２の動作接触素子６０との間の接触ブリッジとして作動する。固定接触部材４０は、その端子４１とともに共通接触部（ＣＯ）を形成する。作動素子２０が休止状態であるとき、第１の動作接触素子５０は、固定接触素子４０に接触して通常閉接触部であり、第２の動作接触素子６０は、その端子６１と固定接触素子４０との接触部を有さず、そのため通常開接触部（ＮＯ）である。
【００５３】
[0105]  図３１で明らかに分かるように、ばね接触素子３０は下側リム端３４を有し、下側リム端３４は、例えば、留め接続部又ははんだ付け接続部によって固定接触素子４０に固定して接続される。ばね接触素子３０の上側部は、具体的には上側リム端３３は、作動素子２０の底部に設けた収容本体２７によって所定位置に保持される。図３０に示すように、ばね接触素子３０の上側部は、収容本体２７の収容溝２２に収容される。収容溝２２は作動方向Ｘに延びている。上側リム端３３は、収容本体２７のスロット２８を通って横方向に突出し、図３６及び図３８に示すように、第１の動作接触素子５０の接触面５２に載り、第２の動作接触素子６０の接触面６２から接触距離Ａだけ離間する。ばね接触素子３０の上側リム端３３は、作動素子２０に予め位置決めされ、作動素子２０が作動方向Ｘに案内されて移動することによって生じる所定の経路に沿って移動し、短距離だけ移動した後に所定の接触位置に達することが好ましい。休止位置から作動位置まで、作動素子２０の移動距離は、接触距離Ａと比べてより長い。移動の後期段階では、ばね接触素子３０の上側リム端３３は、第２の動作接触素子６０の接触面６２上をオーバーランして摺動する。従って、上側リム端３３はねじれる。第２の動作接触部材６０に対する上側リム端３３の信頼できる接触及び十分な接触圧力を保証するために、上側リム端３３は、付勢力の影響を受けて、作動素子２０の収容本体２７に予め位置決めされる。この実施例では、収容本体２７は、その側壁に形成されたスロット２８を有する。リム端３３は、十分な付勢力が得られるように、スロット２８を通過して作動部材２０の収容本体２７によってねじれた様式で位置決めされ、それによりリム端３３と第２の動作接触素子６０の接触面６２との間に信頼できる接触が保証され、接触面６２に十分な接触圧力を加えることができる。リム端３３は、付勢力の影響を受けて第１の動作接触素子５０に載り、それにより作動部材２０が休止位置にあるとき、リム端３３に十分な接触圧力がもたらされる。従って、作動素子２０の移動中に、リム端３３は、ばね力のおかげで、あまり早く接触面５２から離昇することがなく又は接触面５２を去ることがない。作動素子２０は、作動後、ばね接触素子３０ばね力の影響を受けてしかもベローズ２５の助けの下で休止位置に戻る。
【００５４】
[0106]  スイッチ２が作動されると、ばね接触素子３０の上側リム端３３は、案内の影響を受けて所定の経路に沿って接触距離Ａを過ぎる。この目的のために、作動素子２０用の案内構造がスイッチハウジング１０に設けられる。図３０に示すように、案内構造は、収容本体２７の外側面上に二対の案内リブ２４を含む。各対の案内リブ２４は、スイッチハウジング１０の溝部内に係合する。溝部は、作動方向Ｘに延びる２つの案内ストリップ１５によって形成することができる。作動素子２０の収容本体２７上の案内リブ２４と、スイッチハウジング１０の案内ストリップ１５との協働によって、作動素子２０の作動方向Ｘにおける移動が決まる。従って、収容本体２７に保持されたリム端３３の移動経路も決まる。加えて、ばね接触素子３０の下側部は、スイッチハウジング１０の基部１３に形成された突起１４によって保持される。突起１４は、ばね接触素子３０に下方からはまり込む。図３１に示すように、下側リム端３４は、固定接触素子４０のスロット４２内に係合することができる。随意的に、リム端３４は、接触素子４０と一体に形成することができる。リム端は、接触素子に他の手段によって固定しても良いことを理解されたい。
【００５５】
[0107]  図３２は、図２９から図３１のスイッチ４の回路図を示す。
【００５６】
[0108]  図３３から図３６は、スイッチ４の別の実施例を図示する。図３７、図３９及び図４０の回路図に示すように、直列に接続された抵抗７０、７１、７２が部分的に又は全てスイッチ４に配置される。好ましくはＳＭＤ抵抗である抵抗７０、７１、７２は、例えばはんだ付け接続部を介して、好ましくはレーザーによる溶接接続部を介して、又は留め接続部を介して、接触素子４０、５０、６０に接続される。回路を測定することによって、具体的には抵抗を測定することによって、接触状態を決定することができる。抵抗７０、７１、７２の抵抗は異なっても良い。図３３から図３８は、３つの抵抗７０、７１及び７２を持つ構成を図示する。第１の抵抗７０は、第１の動作接触素子５０と第２の動作接触素子６０との間に接続され、第２の抵抗７１は、固定接触素子４０と第２の動作接触素子６０との間に接続され、第３の抵抗７２は、固定接触素子４０と第１の動作接触素子５０との間に接続される。接触素子４０、５０及び６０は、抵抗７０、７１及び７２との接触をより良くするために腕部４３、４４及び４５を有する。
【００５７】
[0109]  図３９及び図４０は、２つの抵抗のみを有する回路図を例示する。図３９では、固定接触素子４０と第１の動作接触素子５０との間の抵抗は除去されている。図４０では、固定接触素子４０と第２の動作接触素子６０との間の抵抗は除去されている。
【００５８】
[0110]  図３４のスイッチ４と図３８のスイッチとの間の相違は、第２の動作接触素子６０に存する。２つの第２の動作接触素子６０は曲がりが異なり、それによりスイッチ４の接触距離Ａ及び切換え時間が変わる。
【００５９】
[0111]  上記実施形態は、開示の好ましい実施形態に過ぎず、開示を限定することを意図しない。本開示の本質及び原理内におけるあらゆる変更、均等な置換又は改善が本開示の保護範囲内に含まれる。
【符号の説明】
【００６０】
１  信号スイッチ
１０  スイッチハウジング
１１  収容空間
１２  上側部
１３  下側基部
２０  作動素子
２１  案内本体
２２  収容溝
２４  案内リブ
２５  ベローズ
２６  保持ピン
３０  ばね接触素子
３３、３４  リム端
４０  固定接触素子
４１  端子
５０  動作接触素子
５１  端子
５２  接触面
５５  絶縁面
【図１】
2017157552.tif 000003
【図２ａ】
2017157552.tif 000004
【図２ｂ】
2017157552.tif 000005
【図３ａ】
2017157552.tif 000006
【図３ｂ】
2017157552.tif 000007
【図４ａ】
2017157552.tif 000008
【図４ｂ】
2017157552.tif 000009
【図５ａ】
2017157552.tif 000010
【図５ｂ】
2017157552.tif 000011
【図６ａ】
2017157552.tif 000012
【図６ｂ】
2017157552.tif 000013
【図７ａ】
2017157552.tif 000014
【図７ｂ】
2017157552.tif 000015
【図８ａ】
2017157552.tif 000016
【図８ｂ】
2017157552.tif 000017
【図９ａ】
2017157552.tif 000018
【図９ｂ】
2017157552.tif 000019
【図１０ａ】
2017157552.tif 000020
【図１０ｂ】
2017157552.tif 000021
【図１１】
2017157552.tif 000022
【図１２】
2017157552.tif 000023
【図１３】
2017157552.tif 000024
【図１４】
2017157552.tif 000025
【図１５ａ】
2017157552.tif 000026
【図１５ｂ】
2017157552.tif 000027
【図１５ｃ】
2017157552.tif 000028
【図１６】
2017157552.tif 000029
【図１７ａ】
2017157552.tif 000030
【図１７ｂ】
2017157552.tif 000031
【図１８】
2017157552.tif 000032
【図１９】
2017157552.tif 000033
【図２０ａ】
2017157552.tif 000034
【図２０ｂ】
2017157552.tif 000035
【図２１】
2017157552.tif 000036
【図２２】
2017157552.tif 000037
【図２３】
2017157552.tif 000038
【図２４】
2017157552.tif 000039
【図２５ａ】
2017157552.tif 000040
【図２５ｂ】
2017157552.tif 000041
【図２６ａ】
2017157552.tif 000042
【図２６ｂ】
2017157552.tif 000043
【図２７ａ】
2017157552.tif 000044
【図２７ｂ】
2017157552.tif 000045
【図２７ｃ】
2017157552.tif 000046
【図２８ａ】
2017157552.tif 000047
【図２８ｂ】
2017157552.tif 000048
【図２９】
2017157552.tif 000049
【図３０】
2017157552.tif 000050
【図３１】
2017157552.tif 000051
【図３２】
2017157552.tif 000052
【図３３】
2017157552.tif 000053
【図３４】
2017157552.tif 000054
【図３５】
2017157552.tif 000055
【図３６】
2017157552.tif 000056
【図３７】
2017157552.tif 000057
【図３８】
2017157552.tif 000058
【図３９】
2017157552.tif 000059
【図４０】
2017157552.tif 000060
【外国語明細書】
2017157552000001.pdf